(57)【要約】【課題】デュアルフイルムシステムによる合焦機能とプレ発光システムを採用した閃光発光装置とを備えたＡＦカメラにおいて、プレ発光後のフォ−カスリングの回転操作による不適正露出の問題を解決したＡＦカメラを提供すること。【解決手段】フイルムリングの移動量と移動方向を検出する検出装置１６の検出信号に基づいて閃光発光装置１２の本発光の制御演算値を補正する補正演算回路１５を設け、コントロ−ラ１０に設けた判定回路がプレ発光後のフォ−カスリングの回転のために適正露出を得られないと判定したときは、本発光の制御演算値を補正し本発光して閃光撮影を行ない、補正した制御演算値の本発光でも適正露出とならない判定結果のときは、閃光撮影を禁止し、或いは、警告表示の下に閃光撮影を許容する構成となっている。【選択図】　　　　図１
2004118131.tif 000002
【特許請求の範囲】
【請求項１】
オ−トフォ−ス機能を有すると共に、合焦後にフォ−カスリングを操作して焦点調整することができ、かつ、プレ発光の測光結果に基づいて本発光させる閃光発光装置を備えたＡＦカメラにおいて、
フォ−カスリングの回転位置を検出する検出手段と、
プレ発光後にフォ−カスリングの回転位置が変化した場合、その変化を前記検出手段によって検出し、この検出信号に基づいて、プレ発光の測光結果に応じた本発光で適正露出となるか否かを判定する判定手段と、
この判定手段の判定結果にしたがって閃光撮影を制御する制御手段とを備えたことを特徴とするＡＦカメラ。
【請求項２】
請求項１に記載したＡＦカメラにおいて、
フォ−カスリングの位置変化量と変化方向を検出する検出手段を設け、この検出手段の検出信号に基づいて本発光の発光量を補正する補正演算手段を備えたことを特徴とするＡＦカメラ。
【請求項３】
請求項１に記載したＡＦカメラにおいて、
判定手段の判定が適正露出とならない判定結果であるとき、この判定結果に基づいて不適正露出を警告する表示手段と、閃光撮影を禁止させる禁止手段とを備えたことを特徴とするＡＦカメラ。
【請求項４】
請求項１に記載したＡＦカメラにおいて、
判定手段の判定が適正露出とならない判定結果であるときでも、閃光撮影を許容する許可手段と、不適正露出を表示する表示手段とを備えたことを特徴とするＡＦカメラ。
【発明の詳細な説明】
【０００１】
【発明の属する技術分野】
この発明は、合焦後にフォ−カスリングを操作して焦点を微調整することができる調整機能を備えると共に、プレ発光の測光結果に基づいて本発光させる閃光発光装置を備えたＡＦカメラに関する。
【０００２】
【従来の技術】
一般のＡＦカメラ（オ−トフォ−カスカメラ）は、合焦モ−ドに移るとフォ−カスリングを操作することができないが、今日のＡＦカメラの中には、合焦後であってもフォ−カスリングを操作しても焦点の微調整を行なうことができるものがある。
このようなカメラはデュアルフォ−カスカメラとして知られている。
【０００３】
また、上記のようなＡＦカメラには、プレ発光の測光結果に基づいて本発光させる閃光発光装置を備えたものがある。
プレ発光システムを有する閃光発光装置は、ＴＴＬ調光におけるフイルム反射率に起因する露出のばらつき、被写体の反射率の基準値からのずれ量に起因する不適正な露出などの問題を解決している。
【０００４】
すなわち、閃光撮影に先き立つて少発光量の発光（プレ発光）を行ない、このプレ発光の測光値から本発光（撮影時発光）の発光量を予め定める構成となっている。
【０００５】
【発明が解決しようとする課題】
上記したようなＡＦカメラでは、合焦後にもフォ−カスリングの操作が可能となっているため、撮影時にフォ−カスリングを操作してしまうことがある。
【０００６】
例えば、カメラ本体を右手でもち、レンズ鏡胴を左手でもって撮影姿勢をとることが多いため、シャッタレリ−ズ時にフォ−カスリング回転させてしまうことがある。
【０００７】
特に、閃光撮影の場合にフォ−カスリングが回転されることにより、不適正露出の撮影となってしまうことがあった。
具体的には、プレ発光と本発光との間でフォ−カスリングが回転されることがあるために、予め演算された本発光の発光量が不適当なものとなり、適正露出が得られなくなる。
【０００８】
閃光発光装置の発光量を表わす指標として通常ガイドナンバ−が用いられるが、プレ発光の測光値から演算される本発光のガイドナンバ−Ｇ０は、レンズの絞りＦと被写体距離Ｄとから、
Ｇ０＝Ｆ×Ｄ　…………（１）
となり、本発光がこの発光量で行なわれたとき適正露出を得る。
【０００９】
しかし、上記したようなフォ−カスリングがプレ発光後に回転された場合には、上記の式（１）のＤが変化することと同じことになるために、本発光の発光量が不適当となる。
この結果、閃光撮影が不適正な露出となってしまう。
このような問題は、カメラの設定が遅いシャッタ秒時で、かつ、後幕シンクロモ−ドであるとき、プレ発光から本発光までの時間が長くなるために生じ易い。
【００１０】
本発明は上記した実情にかんがみ、閃光撮影の際、フォ−カスリングがプレ発光後に操作された場合に生ずる問題点を解決することを目的とする。
【００１１】
【課題を解決するための手段】
上記した目的を達成するため、本発明では、オ−トフォ−ス機能を有すると共に、合焦後にフォ−カスリングを操作して焦点調整することができ、かつ、プレ発光の測光結果に基づいて本発光させる閃光発光装置を備えたＡＦカメラにおいて、フォ−カスリングの回転位置を検出する検出手段と、プレ発光後にフォ−カスリングの回転位置が変化した場合、その変化を前記検出手段によって検出し、この検出信号に基づいて、プレ発光の測光結果に応じた本発光で適正露出となるか否かを判定する判定手段と、この判定手段の判定結果にしたがって閃光撮影を制御する制御手段とを備えたことを特徴とするＡＦカメラを提案する。
【００１２】
このように構成したＡＦカメラは、プレ発光後にフォ−カスリングが回転操作された場合は、判定手段の判定結果にしたがって本発光の発光量を補正して閃光撮影モ−ドとしたり、或いは、不適正露出の警告表示の下に撮影を禁止（シャッタロック等）することができる。
また、シャッタチャンスを逃してしまうことのないように、不適正露出の表示の下に撮影を許容し、閃光撮影の強行モ−ドとすることもできる。
【００１３】
【発明の実施の形態】
次に、本発明の実施形態について図面に沿って説明する。
図１はＡＦカメラ構成を示すブロック図である。
図示するように、このＡＦカメラは、公知のデュアルフォ−カスシステムを採用したＡＦカメラユニット１１と、プレ発光システムを採用した閃光発光装置１２とを備え、これらが他の回路部と共にコントロ−ラ１０によって制御される構成となっている。
【００１４】
ＡＦカメラユニット１１は、測光回路、測距回路、絞り、シャッタなどのカメラ動作機構の他に、自動合焦した後にフォ−カスリングを操作して焦点を微調整することができるデュアルフォ−カスシステム機構を備えている。
【００１５】
閃光発光装置１２は、キセノン放電管、メ−ンコンデンサ、調光回路などからなる公知の閃光発光回路から構成してあり、コントロ−ラ１０の制御の下に少発光量のプレ発光と、プレ発光の測光値に基づいて本発光を行なう構成となっている。
【００１６】
プレ発光の測光回路１３は、閃光発光装置１２がプレ発光したとき、被写体反射光を測光する。
具体的には、被写体反射光を光電変換した電気信号を対数圧縮若しくは積分して測光値信号を出力するようになっている。
【００１７】
本発光の制御演算回路１４は、プレ発光の測光値に基づいて本発光の発光量を演算して定めるもので、その演算値を本発光を制御信号として出力し、コントロ−ラ１０がこの制御信号にしたがって閃光発光装置１２を本発光させる。
【００１８】
補正演算回路１５は、プレ発光後にフォ−カスリングが回転操作されたとき、本発光の演算値を補正するものである。
この補正演算回路１５は次のようにして補正値を演算する。
【００１９】
プレ発光後にフォ−カスリングが回転し、被写体距離がＤ１となった場合、上記式（１）と同様に本発光のガイドナンバ−Ｇ１は、
Ｇ１＝Ｆ×Ｄ１　…………（２）
となり、この発光量によって適正露出となる。
【００２０】
したがって、本発光の補正量を△Ｇとすれば、
△Ｇ＝Ｇ１−Ｇ０＝Ｆ×（Ｄ１−Ｄ）＝Ｆ×△Ｄ　………（３）
となる。なお、△Ｄは被写体距離の変化量である。
また、被写体距離が短くなった場合、つまり、Ｄ１がＤより小さい場合には△Ｄはマイナスの値となるから、△Ｄはフォ−カスリングの変化方向を含んだ値である。
【００２１】
さらに、閃光発光装置１２は、Ｇｍｉｎ〜Ｇｍａｘの発光量が既知であるから、本発光の発光量であるガイドナンバ−Ｇ１はその範囲内にあるか否かによって本発光の補正が可能であるか、不可能であるかを判定することができる。
【００２２】
また、フォ−カスリングの位置Ｐと被写体距離Ｄとはレンズの設計により一義的に決められており、一般的に図２に示す特性曲線の関係となる。
したがって、被写体距離の変化量△Ｄは、フォ−カスリングの移動量と移動方向とより求めることができる。
この結果、上記式（３）によって本発光の補正量△Ｄを算出することができる。
【００２３】
なお、ガイドナンバ−Ｇ１がＧｍｉｎ〜Ｇｍａｘの範囲内にあるか否かの判定や本発光の制御演算値に対する補正量△Ｇの演算などはコントロ−ラ１０によって行なうことができる。
【００２４】
一方、フォ−カスリングの移動量、移動方向はフォ−カスリング位置検出装置１６によって検出する。
このようなフォ−カスリング位置検出装置１６は公知のものが使用できるが、その具体例を図３に示す。
【００２５】
図３において、１６ａはフォ−カスリングに取付け、フォ−カスリングと一体的に回転するようにした基板で、これにはコ−ド１６ｂが設けてある。
そして、そのコ−ド１６ｂを摺動するブラシ１６ｃを鏡胴固定部に設ける。
このコ−ド１６ｂとブラシ１６ｃによってフォ−カスリングの回転位置を検出することができる。
【００２６】
また、基板１６ａにはエンコ−ダ−羽根１６ｄを設け、鏡胴固定部にはフォトインタラプタ１６ｅを配置し、このフォトインタラプタ１６ｅより出力するパルス信号から、フォ−カスリングの移動量を検出する。
【００２７】
さらに、フォ−カスリングに沿って設けた多数のコ−ド１６ｂは、一方向に向かって順次抵抗の異なるコ−ド板となっている。
したがって、ブラシ１６ｃがコ−ド１６ｂを順次摺動することによって、このブラシ１６ｃが階段状に変化する電圧を出力するから、その出力電圧の階段状の増加または減少を検出することによりフォ−カスリングの回転方向（移動方向）を判別することができる。
【００２８】
フォ−カスリングの回転方向を判別する他の手段としては、エンコ−ダ羽根１６ｄの通過によってパルス出力するフォトインタラプタを２つ設置する。
すなわち、フォトインタラプタ１６ｅの他に今一つのフォトインタラプタを設けると共に、これら２つのフォトインタラプタは相互に位相のずれたパルスを出力する構成とする。
【００２９】
このように構成した回転方向の判別手段は、フォ−カスリングが回転したときに生ずるパルス信号の初めの変化を検出することによって回転方向を判別することができる。
なお、このような回転方向の判別手段は公知である。
【００３０】
図１において、不適正露出の表示回路１７は、コントロ−ラ１０に含む判定回路が適正露出を得ることができない判定をしても、閃光撮影を許容するようにＡＦカメラユニット１１を制御するとき、表示させるものである。
【００３１】
また、図１において、調光不可の警告表示回路１８は、コントロ−ラ１０に含む判定回路が適正露出を得ることができない判定結果となったとき、閃光発光装置１２の本発光を停止させ、また、ＡＦカメラユニット１１を制御して閃光撮影を禁止するときに表示させるものである。
【００３２】
既に述べたように、コントロ−ラ１０には判定回路が設けてあり、この判定回路がフォ−カスリングの回転にかかわらず閃光発光装置１２の本発光によって適正露出がえられるか否かを判定する。
すなわち、プレ発光後にフォ−カスリングが回転操作された場合、本発光の制御演算回路１４によって演算した演算値の制御信号による本発光の発光量で適正露出が得られるか否かを判定する。
【００３３】
そして、判定回路が適正露出となる判定をしたときは、制御演算回路１４の演算値に基づいて本発光させる。
また、判定回路が適正露出とならない判定をしたときは、補正演算回路１５によって演算された補正量△Ｇによって本発光の制御演算回路１４の演算値を補正し、補正した演算値によって本発光をさせる。
【００３４】
さらに、上記のように△Ｇを補正しても判定回路が適正露出とならない判定をした場合、コントロ−ラ１０が閃光撮影を禁止制御し、また、警告表示回路１８を動作させて警告表示する。
【００３５】
なお、このように△Ｇを補正しても適正露出とならない判定結果となるときでも、閃光撮影を禁止制御せず、閃光撮影を可能として、不適正露出となることを表示回路１７によって表示させる構成とすることができる。
【００３６】
図４はカメラがＡＦ合焦した後のコントロ−ラ１０の動作を示したフロ−チャ−トである。
ＡＦ合焦動作がシャッタ釦の半押しで行なわれた後、シャッタ釦を全押しすることにより閃光発光装置１２をプレ発光させる。（ステップＳＴ１００）
【００３７】
プレ発光による被写体反射光が測光回路１３によって測光され、この測光値に基づいて本発光の制御演算回路１４が本発光の発光量を演算するように制御される。（ステップＳＴ２００、ＳＴ３００）
【００３８】
プレ発光後にフォ−カスリングが回転操作されないときは、上記の演算値にしたがう制御信号によって閃光発光装置１２を本発光させ、閃光撮影する。（ステップＳＴ４００）
【００３９】
プレ発光後にフォ−カスリングが回転した場合には、フォ−カスリングの移動量と移動方向がフォ−カスリング位置検出装置１６によって検出される。（ステップＳＴ５００）
【００４０】
コントロ−ラ１０はその検出信号を入力して判定回路を動作させ、本発光の発光量により適正露出を得るか否かを判定する。（ステップＳＴ６００）
ここで、適正露出の判定結果となれば、本発光させ、閃光撮影に移る。
【００４１】
適正露出が得られない判定結果となったときは、補正演算回路１５によって補正量△Ｇを演算させ、この補正量△Ｇによって本発光の制御演算値を補正し、補正した制御演算値にしたがって本発光させる。（ステップＳＴ７００）
【００４２】
本発光の制御演算値を補正してもなお適正露出を得ることができない判定結果となる場合には、閃光撮影を禁止させるか、不適正露出で閃光撮影するかのいずれかの制御となる。
なお、閃光撮影を禁止するか許容するかは選択スイッチなどによっていずれかの一方の制御となるように構成する。
【００４３】
したがって、閃光撮影を禁止させる場合は、表示回路１８を動作させてその表示を行なう。（ステップＳＴ８００、ＳＴ９００）
閃光撮影を許容する場合は、表示回路１７を動作させて警告表示すると共に、本発光させて閃光撮影に移る。（ステップＳＴ１０００、ＳＴ１００１）
【００４４】
【発明の効果】
上記した通り、本発明に係るＡＦカメラは、プレ発光後にフォ−カスリングが不用意に回転操作された場合にも閃光撮影の失敗を未然に防ぐことができる。
【００４５】
具体的には、フォ−カスリングの位置変化にしたがって本発光の発光量が補正されるので、フォ−カスリングの回転にかかわらず適正露出の閃光撮影となる。
【００４６】
また、本発光の発光量を補正しても適正露出とならないときは、閃光撮影を禁止するので撮影の失敗を防止することができ、或いは、不適正露出となることを表示した上で閃光撮影を許容する構成としたので、シャッタチャンスなどを逃すことなく撮影することもできる。
【図面の簡単な説明】
【図１】本発明の一実施形態として示したＡＦカメラ構成のブロック図である。
【図２】フォ−カスリングの位置と被写体距離との関係を示した特性曲線図である。
【図３】フォ−カスリングの回転位置を検出する検出装置の一例を示す部分的な装置構成図である。
【図４】ＡＦカメラに備えるコントロ−ラの動作を示すフロ−チャ−トである。
【符号の説明】
１０　コントロ−ラ
１１　ＡＦカメラユニット
１２　閃光発光装置
１３　プレ発光の測光回路
１４　本発光の制御演算回路
１５　補正演算回路
１６　フォ−カスリング位置検出装置
１７　不適正露出の表示回路
１８　調光不可の警告表示回路
【図１】
2004118131.tif 000003
【図２】
2004118131.tif 000004
【図３】
2004118131.tif 000005
【図４】
2004118131.tif 000006